(57)【要約】【課題】  一方のディスクに記録された番組データのうちから、所望の放送期間に該当する番組データのみを選択的に読出して、他方のディスクに転送して記録する。【解決手段】  ディスク記録装置は、アンテナ１から受信した放送信号に基づく１つ以上の番組データをＨＤＤ５に記録する。ＨＤＤ５に記録済みの番組データをＤＶＤ１６にダビングする機能が設定されたときには、リモコン１４から放送曜日と時間帯が指定されて、ＣＰＵ１０は指定された放送曜日と時間帯に記録された１つ以上の番組データをＨＤＤ５から読み出す。番組データが読み出される毎に、読み出された番組データを、ＤＶＤ１６に再記録する。また、ＨＤＤ５からは、放送日付の古い順に従い番組データが読み出される。【選択図】        図１
2006134481.tif 000002
【特許請求の範囲】
【請求項１】
放送信号に基づく１つ以上の番組データが記録されるハードディスク装置と、
光ディスクと、
前記ハードディスク装置に記録される前記１つ以上の番組データのそれぞれに対応して、該番組データの放送時間を示す時間データ、放送曜日を示す曜日データ、および放送日付を示す日付データを含む管理情報を格納する記憶部と、
前記ハードディスク装置に記録された前記１つ以上の番組データのうちから、所望の期間に放送されて記録された番組データを選択して読出す番組データ読出手段と、
前記番組データ読出手段により前記番組データが読出される毎に、読み出された前記番組データを、前記光ディスクに記録する番組データ記録手段とを備えて、
前記番組データ読出手段は、前記所望の期間に該当の前記放送曜日と前記放送時間を含む前記管理情報を前記記憶部から検索して、検索した前記管理情報に対応する前記番組データそれぞれを、その日付データが示す日付の順番に従い、前記ハードディスク装置から選択して読出すことを特徴とする、ディスク記録装置。
【請求項２】
放送信号に基づく１つ以上の番組データが記録される第１のディスクと、
第２のディスクと、
前記第１のディスクに記録された前記１つ以上の番組データのうちから、所望の期間に放送されて記録された番組データを選択して読出す番組データ読出手段と、
前記番組データ読出手段により前記番組データが読出される毎に、読み出された前記番組データを、前記第２のディスクに記録する番組データ記録手段とを備える、ディスク記録装置。
【請求項３】
前記第１のディスクに記録される前記１つ以上の番組データのそれぞれに対応して、該番組データの放送時間を示す時間データを含む管理情報を格納する記憶部をさらに備えて、
前記番組データ読出手段は、前記所望の期間に該当の前記放送時間を含む前記管理情報を前記記憶部から検索して、検索した前記管理情報に対応する前記番組データを、前記第１のディスクから選択して読出すことを特徴とする、請求項２に記載のディスク記録装置。
【請求項４】
前記管理情報は、さらに、対応の前記番組データの放送曜日を示す曜日データを含み、
前記番組データ読出手段は、前記所望の期間に該当の前記放送曜日と前記放送時間を含む前記管理情報を前記記憶部から検索して、検索した前記管理情報に対応する前記番組データを、前記第１のディスクから選択して読出すことを特徴とする、請求項３に記載のディスク記録装置。
【請求項５】
前記管理情報は、さらに、対応の前記番組データの放送日付を示す日付データを含み、
前記番組データ読出手段は、前記所望の期間に該当の前記放送時間を含む前記管理情報を前記記憶部から検索して、検索した前記管理情報に対応する前記番組データそれぞれを、その日付データが示す日付の順番に従い、前記第１のディスクから選択して読出すことを特徴とする、請求項３に記載のディスク記録装置。
【請求項６】
前記第１のディスクは、ハードディスク装置であり、前記第２のディスクは光ディスクであることを特徴とする、請求項２から５のいずれか１項に記載のディスク記録装置。
【発明の詳細な説明】
【技術分野】
【０００１】
この発明はディスク記録装置に関し、特に一方のディスク記録媒体に記録されたデータを他方のディスク記録媒体へ転送して再記録する（以下、ダビングという）ことのできるディスク記録装置に関する。
【背景技術】
【０００２】
放送番組などのコンテンツを記録・再生する装置としてＤＶＤ(Digital Versatile Disc）レコーダや、大容量のＨＤ（Hard Disk）を内蔵した録画装置が普及している。また近年は１つの装置にＨＤ装置とＤＶＤ装置とを搭載して、ＨＤ装置に記録された内容をＤＶＤ装置に再記録するという、いわゆるダビングが知られている。
【０００３】
このようなダビングの一機能として特許文献１が提案されている。特許文献１には、ＨＤ装置からＤＶＤ装置へのダビングが示されている。具体的には、ＨＤ装置中に記録された番組データの属性（分類）を参考にしてダビングを実行するとの記載がある。この属性は、映画、ニュース、ドラマといった番組のジャンルやＨＤ装置に実際にこの番組データを記録した利用者の識別情報、たとえば父、母、などの識別情報である。
【０００４】
また特許文献２には番組の予約録画において、連続番組を記録する際に、次の放送予定時間も番組情報サーバから取得しておくことにより、番組放送時間が変更されたとしても、毎週連続の番組を同一の光ディスクに記録する方法が記載されている。また、万一、異なる光ディスクがセットされている場合には、該番組データを光ディスクではなく、一旦ＨＤ装置に格納し、そのＨＤ装置から該番組データを記録すべき光ディスクにダビングすることが教示されている。
【特許文献１】特開２００４−１２７４７０号公報
【特許文献２】特開２００４−０８０５０７号公報
【発明の開示】
【発明が解決しようとする課題】
【０００５】
上述したようにＨＤ装置から光ディスクであるＤＶＤなどのディスク装置にダビングすることはよく使われた手法である。なぜならば、ＤＶＤは比較的小容量であるのに対し、ＨＤ装置は大容量であり、ＨＤ装置にあらゆるデータを一旦溜め込んでから、整理しながら分類してＤＶＤにダビングするという手法が、ユーザにとっては都合がよい。
【０００６】
放送番組データをＨＤ装置に大量に溜め込んだ後に、ＤＶＤに分類して転送する作業をする場合、ユーザは録画した番組のタイトルというよりは、放送時間（曜日と時間帯）で所望の番組を特定することがむしろ使い勝手がよいという一面がある。そこで、ＨＤ装置に大量に録画された各種番組データのうちから、ユーザが放送の曜日と時間帯を指定することで、それに該当する番組データを単一のＤＶＤにダビングしたいという要求がある。
【０００７】
しかしながら上述の特許文献１および２もこの要求を満たすことはできない。特許文献１では、番組データの属性を考慮して、ダビングを実行するとあるけれども、この属性は番組のジャンルや利用者の識別情報であるから、ユーザが所望番組データを指定するための直感的な情報である放送曜日と時間帯を考慮してダビングすることはできない。
【０００８】
また、特許文献２では、連続番組を記録する際に連続した番組データは同一の光ディスクに記録するようにするという番組の予約録画の技術が提案されているけれども一旦大量にＨＤに格納された複数の番組データのうちから、ユーザが指定した放送曜日と時間帯に該当の番組データのみをＤＶＤにダビングするという技術は提案されていないから、上述した要求を満たすことはできない。
【０００９】
それゆえにこの発明の目的は、一方のディスクに記録された番組データのうちから、所望の放送期間に該当する番組データのみを選択的に読出して、他方のディスクに転送して記録するディスク記録装置を提供することである。
【課題を解決するための手段】
【００１０】
この発明のある局面に従うディスク記録装置は、放送信号に基づく１つ以上の番組データが記録される第１のディスクと、第２のディスクと、第１のディスクに記録された１つ以上の番組データのうちから、所望の期間に放送されて記録された番組データを選択して読出す番組データ読出手段と、番組データ読出手段により番組データが読出される毎に、読み出された番組データを、第２のディスクに記録する番組データ記録手段とを備える。
【００１１】
この発明の他の局面に従うディスク記録装置は、放送信号に基づく１つ以上の番組データが記録される第１のディスクに相当のハードディスク装置と、第２のディスクに相当の光ディスクと、ハードディスク装置に記録された１つ以上の番組データのうちから、所望の期間に放送されて記録された番組データを選択して読出す番組データ読出手段と、番組データ読出手段により番組データが読出される毎に、読み出された番組データを、光ディスクに記録する番組データ記録手段と、ハードディスク装置に記録される１つ以上の番組データのそれぞれに対応して、該番組データの放送時間を示す時間データ、放送曜日を示す曜日データ、および放送日付を示す日付データを含む管理情報を格納する記憶部とを備えて、番組データ読出手段は、所望の期間に該当の放送曜日と放送時間を含む管理情報を記憶部から検索して、検索した管理情報に対応する番組データそれぞれを、その日付データが示す日付の順番に従い、ハードディスク装置から選択して読出す。
【発明の効果】
【００１２】
この発明によれば、第１のディスクに記録された１つ以上の番組データのうち、所望の期間に放送された記録された番組データのみを選択的に読出して、第２のディスクに再記録することができる。
【発明を実施するための最良の形態】
【００１３】
以下、この発明の実施の形態について図面を参照して詳細に説明する。
【００１４】
図１には、この発明の実施の形態に係るディスク記録再生装置の構成が示される。図１を参照してディスク記録再生装置はＴＶ（Television）放送を受信するＴＶアンテナ１、ＴＶアンテナ１により受信された放送信号から所望チャンネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録され、供給電力が絶たれても記録内容を保持できる図示のないＨＤを駆動制御するＨＤＤ（Hard disk drive）５、ＨＤＤ５によるＨＤへのデジタルデータの書込および読出とＤＶＤ１６へのデジタルデータの書込および読出とを制御する書込／読出制御部６、ＨＤＤ５によりＨＤから読出されたデジタルデータまたはＤＶＤ１６から読出されたデジタルデータを入力してデコードし、デジタル信号を出力するデコーダ７、デコーダ７から出力されたデジタル信号を入力してアナログ信号に変換して出力するアナログ変換部８、およびアナログ変換部８から出力されたアナログ信号を入力して映像、音声などにして出力するためのＴＶ受像機などの出力部９を備える。
【００１５】
さらに、図１のディスク記録再生装置は、チューナ２のチューニング動作、エンコーダ４のエンコード動作、デコーダ７のデコード動作および書込／読出制御部６の動作を制御するためのＣＰＵ（Central Processing Unit）１０、ＣＰＵ１０がこれらを制御するための情報（プログラム、データなど）を含む各種の情報を記憶するためのＲＡＭ（Random Access Memory）やＲＯＭ（Read Only Memory）などからなる記憶部１１および１２、外部に設けられたリモコン（リモートコントローラの略）１４からの赤外線信号による指令・指示を受信し、データに変換して、ＣＰＵ１０に与える入力部１３、ＯＳＤ（On Screen Display）回路１５、ＤＶＤ１６、計時動作するタイマ１７およびＥＰＧ（Electric Program Guide）抽出部１８を備える。
【００１６】
ここでは、ＤＶＤ１６は、ＤＶＤ−Ｒ、ＤＶＤ−ＲＡＭ（ＤＶＤ−ＲＷ（Digital Versatile Disc ReWritable）ともいう）などであってよい。
【００１７】
ＯＳＤ回路１５はＣＰＵ１０から与えられるデジタル情報に基づく描画データを作成してアナログ変換部８に出力する。アナログ変換部８は描画データを入力すると、該描画データのみをアナログ変換して、または該描画データとＨＤＤ５またはＤＶＤ１６から読出されてデコーダ７を介して与えられるデータとをアナログ変換して、出力部９に出力するので、出力部９には与えられるデータに基づく画像が表示されることになる。
【００１８】
入力部１３はリモコン１４からの指令を入力しない場合には、外部からの指令・指示を入力するためのユーザにより操作される各種スイッチ、ボタンなどから構成されてもよい。
【００１９】
リモコン１４は、外部からユーザにより操作されるチャンネル指定などのためのテンキー１４０、決定ボタン１４２、カーソルキー１４３およびモード切換キー１４４を備える。カーソルキー１４３は出力部９に表示されるカーソルなどのポインタを上下左右のそれぞれの方向に移動させるための複数種類のキーを含む。
【００２０】
ＥＰＧ抽出部１８はアンテナ１、チューナ２およびデジタル変換部３を経由して入力したデジタル情報から、放送信号とともに送信されている番組データのＥＰＧ情報を抽出して、抽出したＥＰＧ情報をＣＰＵ１０に与える。
【００２１】
なお、ＨＤＤ５によるＨＤへの情報の書込（記録）／読出（再生）、ならびにＤＶＤ１６への情報の書込（記録）／読出（再生）は、ＣＰＵ１０の制御の下に読出／書込制御部６を介して行なわれる。ここでは、ＨＤＤ５とＤＶＤ１６について読出／書込制御部６を共用して設けているが、書込／読出制御部６をそれぞれ個別に設けるようにしてもよい。
【００２２】
図２には、図１のＨＤＤ５の記録内容例が示される。ＨＤＤ５は記録領域５２および５３を有する。記録領域５３には１つまたは複数の録画番組データ５１が格納され、記録領域５２には録画データ管理テーブル５０が格納される。録画データ管理テーブル５０は記録領域５３に記録されている録画番組データ５１のそれぞれについて管理するための情報を記録するテーブルである。
【００２３】
図３には、録画データ管理テーブル５０の内容例が示される。録画データ管理テーブル５０は記録領域５３に記録されている１つ以上の録画番組データ５１のそれぞれに対応してレコードＲｉ（ｉ＝１、２、３、…、ｎ）を有する。レコードＲｉは、対応の録画番組データ５１が記録領域５３に記録された日付、曜日および時間帯を示す日付データ６１、曜日データ６２および時間データ６３、該録画番組データ５１のタイトルを示す番組タイトルデータ６４、該録画番組データ５１の記録領域５３における先頭のアドレスを示すアドレスデータ６５を含む。日付データ６１、曜日データ６２、時間データ６３および番組タイトルデータ６４は、該録画番組データ５１を録画する際に、ＥＰＧ抽出部１８から抽出したＥＰＧ情報の中から取得して、セットすることができる。アドレスデータ６５は、書込／読出制御部６により該録画番組データ５１が記録領域５３に記録される場合の記録開始のアドレスを示している。
【００２４】
次に、図１の装置における録画番組データ５１をＨＤＤ５に記録する録画モードの動作について説明する。
【００２５】
ユーザが出力部９を介してＴＶ放送番組を見ていて、リモコン１４のモード切替キー１４４を操作して録画モードに指定すると、ＣＰＵ１０は、リモコン１４からの録画指示の信号を入力部１３を介して入力するので、書込／読出制御部６を制御して、指定チャンネルについて放送されている番組のデータ（録画番組データ５１）がデジタル変換部３、エンコーダ４を介してＨＤＤ５の記録領域５３に記録されるようにする。このとき、記録開始時のアドレス（当該番組データの先頭アドレス）を書込／読出制御部６から取得する。
【００２６】
また、ＣＰＵ１０は、ＨＤに記録しているデータに関連してＥＰＧ抽出部１８から入力したＥＰＧ情報に基づき、現在ＨＤに録画している録画番組データ５１についての、放送日付、放送曜日、放送時間帯、タイトルなどのデータを抽出する。
【００２７】
次に、ＣＰＵ１０は番組の放送が終了するなどして録画を終了すると判定すると、ＣＰＵ１０は録画データ管理テーブル５０に、今回録画した番組データに対応の新たなレコードＲｉを生成して、生成したレコードＲｉに上述のようにＥＰＧ情報から取得した日付、曜日、時間（放送時間帯）および番組タイトルを、日付データ６１、曜日データ６２、時間データ６３および番組タイトルデータ６４として格納し、さらにＨＤＤ５における当該録画番組データ５１について上述のように取得した記録開始アドレスをアドレスデータ６５として格納する。
【００２８】
ここでは、ユーザのリモコン１４の操作による録画指示に応じた録画としているが、ユーザにより予め予約された録画時間が来る毎に、予約録画が実行されて、録画番組データ５１がＨＤＤ５に記録されるとともに、対応のレコードＲｉが追加登録されるようにすることも可能である。
【００２９】
次に、図４のフローチャートを参照し、ＨＤＤ５からユーザが所望の番組データを選択的に抽出してＤＶＤ１６にダビングする処理について説明する。ここでは、ＨＤＤ５には１つまたは複数の録画番組データ５１が記録されていると想定する。
【００３０】
まず、ユーザはリモコン１４のモード切替キー１４４を操作して連続ダビング機能を設定し、その指示信号が入力部１３を介してＣＰＵ１０に与えられるので、ＣＰＵ１０は連続ダビング機能の設定がされたと判定し（ステップＳ（以下、単にＳと略す）３でＹＥＳ）、Ｓ５の処理に移行する。連続ダビング機能の設定がされたと判定されず（Ｓ３でＮＯ）、他の機能の設定がされたと判定された場合には、対応の他の処理へ移行する。
【００３１】
ステップＳ５では、ユーザはリモコン１４をテンキー１４０を操作して、ＨＤＤ５からＤＶＤ１６にダビングすべき番組の放送の曜日と時間帯を指定するので、指定の信号は入力部１３を介してＣＰＵ１０に与えられる。なお、連続ダビング機能の設定時にはテンキー１４０の操作による信号により、ＣＰＵ１０に対して、ダビングすべき番組の放送の曜日と時間の情報を与えることができる。
【００３２】
ＣＰＵ１０は、指定された録画番組データ５１をＨＤＤ５から検索して読出す（Ｓ７）。詳細には、ＣＰＵ１０は、与えられた信号が示す放送曜日と時間帯に基づき、ＨＤＤ５の管理テーブル５０を検索して、一致する曜日データ６２と時間データ６３を有する１つ以上のレコードＲｉのうちから、その日付データ６１が示す日付が最も古いもの（最先に記録された）レコードＲｉを特定し、特定したレコードＲｉのアドレスデータ６５を読出す。そして、読出したアドレスデータ６５に基づき記録領域５３をアクセスして、そこに記録されている録画番組データ５１を読出す。
【００３３】
次に、ＣＰＵ１０は読出された録画番組データ５１を記憶部１１に一旦格納し、展開し、所定の手順に従いＤＶＤ１６に対応のフォーマットに変換し、変換した後のデータをエンコーダ４を介してＤＶＤ１６に与えるので、ＤＶＤ１６にはフォーマット変換後のデータが書込／読出制御部６の制御の元に記録される（Ｓ１１）。
【００３４】
次に、ＣＰＵ１０はＳ５で既に指定されている放送の曜日と時間に基づきテーブル５０を検索する。そして、未だダビングされていない録画番組データ５１のレコードＲｉであって、かつ当該放送の曜日と時間を示す曜日データ６２と時間データ６３を有する１つ以上のレコードＲｉがあるか否かを判別する（Ｓ１５）。１つ以上のレコードＲｉがなければ（Ｓ１５でＮＯ）連続ダビングの処理は終了するが、あれば（Ｓ１５でＹＥＳ）次位の録画番組データ５１がＨＤＤ５から読出される（Ｓ１７）。
【００３５】
ここで次位の録画番組データ５１とは、Ｓ１５の検索結果により得られた１つ以上のレコードＲｉのうち、その日付データ６１が示す日付が、直前にＤＶＤ１６に記録された（この場合は、Ｓ７において記録された）録画番組データ５１のレコードＲｉの日付データ６１が示す日付よりも１週間後の日付を示すレコードＲｉに対応の録画番組データ５１を指す。該１週間後の日付を示すレコードＲｉのアドレスデータ６５に基づき記録領域５３をアクセスして、次位の録画番組データ５１を読出すことができる。
【００３６】
読出された次位の録画番組データ５１は記憶部１１に展開されて、その後Ｓ９以降の処理が前述と同様にして行なわれてＤＶＤ１６に記録される。
【００３７】
このように、ユーザが所望の放送曜日と時間帯を指定するだけで、ＨＤＤ５に記録された録画番組データ５１のうちから、指定された曜日と時間帯においてＨＤＤ５に録画された録画番組データ５１を選択的に読出して、ＤＶＤ１６にダビングすることができる。
【００３８】
ここでは、ダビング対象の録画番組データ５１を放送期間として、たとえば曜日を用いて指定していたけれども、毎日の同一放送時間帯の番組と指定したり、月−金というように月曜日から金曜日までの同一放送時間帯の番組と指定することも可能である。したがって、同じ時間帯で放送のシリーズものの番組データをまとめてＤＶＤ１６にダビングできる。また、ダビングは放送の日付の古い順に従い行なうことができて、ダビング後にＤＶＤ１６の番組データを日付順に並べる編集作業を省くことができる。
【００３９】
また、ダビング中にＤＶＤ１６に記録可能な領域がなくなれば、ディスク交換してダビングを続けるようにしてもよい。そのために、ＣＰＵ１０は、１個の録画番組データ５１をダビング開始するときに、当該録画番組データ５１のデータ量と、連続ダビング開始時にＤＶＤ１６の所定領域から読出して取得したＤＶＤ１６の空き容量と、それまでにダビングした（ＤＶＤ１６に記録した）録画番組データ５１の総容量とを比較し、比較結果が（（空き容量−総容量）＜データ量）を示せば、空き容量不足のためにダビング不可能と判断する。そして、ＯＳＤ回路１５とアナログ変換部８を介して出力部９にディスクが一杯になったのでディスク交換をするようにとユーザに報知するメッセージを出力してもよい。ユーザは該メッセージを確認することで容量不足のＤＶＤ１６を取外し、新しいＤＶＤ１６に交換することができる。交換した新しいＤＶＤ１６について同様にして連続ダビングを継続することができる。
【００４０】
ＨＤＤ５からＤＶＤ１６にダビングされた録画番組データ５１は、同一の録画番組データ５１が繰返しダビングされないように制御したり、または、ダビングされた録画番組データ５１は記録領域５３から削除されるようにしてもよい。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４２】
【図１】この発明の実施の形態に係るディスク記録再生装置の構成図である。
【図２】この発明の実施の形態に係るＨＤＤの記憶内容例を示す図である。
【図３】この発明の実施の形態に係る録画データ管理テーブルの内容例を示す図である。
【図４】この発明の実施の形態に係るダビングの処理フローチャートである。
【符号の説明】
【００４３】
５  ＨＤＤ、６  書込／読出制御部、１０  ＣＰＵ、１１  記憶部、１４  リモコン、１６  ＤＶＤ、５０  録画データ管理テーブル、５１  録画番組データ、６１  日付データ、６２  曜日データ、６３  時間データ、６５  アドレスデータ、Ｒｉ  レコード。
【図１】
2006134481.tif 000003
【図２】
2006134481.tif 000004
【図３】
2006134481.tif 000005
【図４】
2006134481.tif 000006